(57)【要約】【課題】ＮＯxとＮＨ3の吸着能を持たせた三元触媒をディーゼルエンジンに適用し、エンジン稼働中のアクセルオフ時にＮＯxからＮＨ3を生成して三元触媒に吸着させて溜め込み、このＮＨ3を用いて排気ガス中のＮＯxを還元浄化するようにした排気浄化装置に関し、高硫黄燃料を使用しても三元触媒に対し適宜に脱硫処理を施してＮＯxを低減する機能を継続させ得るようにする。【解決手段】三元触媒１４より上流側に酸化触媒１９を、これより上流側に燃料添加弁１５（燃料添加手段）を夫々備え、排気ガス９を酸化触媒１９を経由させて三元触媒１４へ導く再生流路２０と、排気ガス９を酸化触媒１９を迂回させて三元触媒１４へ直接導く通常流路２１とを設け、通常時はバタフライ弁２２（流路切換手段）により通常流路２１を選択し、三元触媒１４の脱離処理を施す時に再生流路２０を選択する。【選択図】図１
2009216021.tif 000002
【特許請求の範囲】
【請求項１】
ディーゼルエンジンの排気管途中にＮＯxとＮＨ3の吸着能を持たせた三元触媒を配設し、エンジン稼働中のアクセルオフ時に前記三元触媒で排気ガス中のＮＯxとＨ2からＮＨ3が生成される程度まで深く空気過剰率を下げ且つその低い空気過剰率でも無煙燃焼を保ち得るよう予混合圧縮着火を前記ディーゼルエンジンに行わしめる排気浄化装置であって、前記三元触媒より上流側に酸化触媒を備えると共に、該酸化触媒より上流側で排気ガス中に燃料を添加する燃料添加手段を備え、排気ガスを酸化触媒を経由させて三元触媒へ導く再生流路と、排気ガスを酸化触媒を迂回させて三元触媒へ直接導く通常流路とを設け、通常時は通常流路を選択して排気ガスを流し且つ三元触媒の脱離処理を施す必要が生じた時に排気ガスの流れを通常流路から再生流路に切り換える流路切換手段を設けたことを特徴とする排気浄化装置。
【請求項２】
酸化触媒より上流の排気管に脱硫処理用のサルファフリー燃料を添加し得るように燃料添加手段を構成したことを特徴とする請求項１に記載の排気浄化装置。
【請求項３】
三元触媒の直後にパティキュレートフィルタを配設したことを特徴とする請求項１又は２に記載の排気浄化装置。
【発明の詳細な説明】
【技術分野】
【０００１】
本発明は、排気浄化装置に関するものである。
【背景技術】
【０００２】
従来より、ディーゼルエンジンにおいては、排気ガスが流通する排気管の途中に、酸素共存下でも選択的にＮＯxを還元剤と反応させる性質を備えた選択還元型触媒を装備し、該選択還元型触媒の上流側に必要量の還元剤を添加して該還元剤を選択還元型触媒上で排気ガス中のＮＯx（窒素酸化物）と還元反応させ、これによりＮＯxの排出濃度を低減し得るようにしたものがある。
【０００３】
他方、プラント等における工業的な排煙脱硝処理の分野では、還元剤にＮＨ3（アンモニア）を用いてＮＯxを還元浄化する手法の有効性が既に広く知られているところであるが、自動車の場合には、ＮＨ3のような有毒な物質を搭載して走行することに関し安全確保が困難であるため、近年においては、毒性のない尿素水を還元剤として使用することが研究されている（例えば、特許文献１参照）。
【０００４】
即ち、尿素水を選択還元型触媒の上流側で排気ガス中に添加すれば、該排気ガス中で尿素水がＮＨ3とＣＯ2（炭酸ガス）に分解され、選択還元型触媒上で排気ガス中のＮＯxがＮＨ3により良好に還元浄化されることになる。
【０００５】
ただし、このように尿素水を還元剤とする選択還元型触媒を用いた排気浄化装置では、尿素水を貯溜しておくための尿素水タンクを新たに増設しなければならないため、該尿素水タンクの搭載スペースの確保が難しいという問題や、コストの高騰が避けられなくなるという問題を招く結果となり、更には、運転者が簡単に尿素水を入手できるようにインフラを整備しなければならないという社会的な問題も招くことになった。
【０００６】
そこで、本発明者は、ディーゼルエンジンの排気管途中にＮＯxとＮＨ3の吸着能を持たせた三元触媒を配設し、エンジン稼働中のアクセルオフ時に約０．７付近まで深く空気過剰率を下げ、しかも、その低い空気過剰率でも無煙燃焼を保ち得るよう予混合圧縮着火をディーゼルエンジンで行うようにして、前記三元触媒で排気ガス中のＮＯxとＨ2からＮＨ3を生成して溜め込むという新しいシステムを創案するに到った。
【０００７】
即ち、このようにエンジン稼働中のアクセルオフ時に三元触媒にＮＨ3を生成して溜め込んでおけば、アクセルオフの状態が解除されてアクセルが踏み込まれた通常の走行状態に移行した際に、空気過剰率が通常の約１．６以上の状態に戻されて三元触媒の周囲が有酸素状態になり、三元触媒に既に吸着されているＮＯxや新たに吸着されたＮＯxが、アクセルオフ時に溜められたＮＨ3によりＮ2に還元浄化される。
【０００８】
この結果、尿素水を貯溜しておくための尿素水タンクを不要として該尿素水タンクの搭載スペースの確保やコストの高騰に関する問題を解消することが可能となり、しかも、運転者が簡単に尿素水を入手できるようなインフラの整備を不要とすることが可能となる。
【特許文献１】特開２００２−１６１７３２号公報
【発明の開示】
【発明が解決しようとする課題】
【０００９】
しかしながら、ディーゼルエンジンの通常の走行状態にあっては、酸素残存量の多い排気ガスに三元触媒が晒されて酸化作用が活発化するので、ディーゼルエンジンの排気ガス中に燃料（軽油）中の硫黄分を起源とするＳＯ2ガスが存在していると、排気ガスの温度が約２００〜３００℃以上となった時に、三元触媒にて次式
［化１］
２ＳＯ2＋Ｏ2＋２Ｈ2Ｏ→２Ｈ2ＳＯ4
によりサルフェート（ミスト状硫酸成分）が生成されて三元触媒上に溜まってしまう懸念があった。
【００１０】
この種のサルフェートは、約６３０℃以上の高温下で再びＳＯ2ガスとなって脱離してしまうものであるが、開発途上国等での高硫黄燃料の使用にあっては、サルフェートの生成量が多すぎて短期間のうちに三元触媒の表面全てが覆われるコーキングを招いてしまうので、三元触媒の機能が発揮できなくなってＮＯxの低減化を図ることができなくなる虞れがあった。
【００１１】
本発明は上述の実情に鑑みてなしたもので、ＮＯxとＮＨ3の吸着能を持たせた三元触媒をディーゼルエンジンに適用し、エンジン稼働中のアクセルオフ時にＮＯxからＮＨ3を生成して三元触媒に吸着させて溜め込み、このＮＨ3を用いて排気ガス中のＮＯxを還元浄化するようにした排気浄化装置に関し、高硫黄燃料を使用しても三元触媒に対し適宜に脱硫処理を施してＮＯxを低減する機能を継続させ得るようにすることを目的としている。
【課題を解決するための手段】
【００１２】
本発明は、ディーゼルエンジンの排気管途中にＮＯxとＮＨ3の吸着能を持たせた三元触媒を配設し、エンジン稼働中のアクセルオフ時に前記三元触媒で排気ガス中のＮＯxとＨ2からＮＨ3が生成される程度まで深く空気過剰率を下げ且つその低い空気過剰率でも無煙燃焼を保ち得るよう予混合圧縮着火を前記ディーゼルエンジンに行わしめる排気浄化装置であって、前記三元触媒より上流側に酸化触媒を備えると共に、該酸化触媒より上流側で排気ガス中に燃料を添加する燃料添加手段を備え、排気ガスを酸化触媒を経由させて三元触媒へ導く再生流路と、排気ガスを酸化触媒を迂回させて三元触媒へ直接導く通常流路とを設け、通常時は通常流路を選択して排気ガスを流し且つ三元触媒の脱離処理を施す必要が生じた時に排気ガスの流れを通常流路から再生流路に切り換える流路切換手段を設けたことを特徴とするものである。
【００１３】
このようにすれば、エンジン稼働中のアクセルオフ時に制御装置により深く空気過剰率が下げられ、しかも、その低い空気過剰率でも無煙燃焼を保ち得るよう予混合圧縮着火がディーゼルエンジンで行われる結果、三元触媒の還元作用が活発化してＮＯxがＮ2となり、このＮ2が排気ガス中のＨ2と結びついてＮＨ3が生成され、そのまま三元触媒に吸着されて溜め込まれる。
【００１４】
そして、アクセルオフの状態が解除されてアクセルが踏み込まれた通常の走行状態に移行し、空気過剰率が通常の約１．６以上の状態に戻されて三元触媒の周囲が有酸素状態になると、三元触媒に既に吸着されているＮＯxや新たに吸着されたＮＯxが、アクセルオフ時に溜められたＮＨ3によりＮ2に還元浄化されることになる。
【００１５】
この際、ディーゼルエンジンからの排気ガスは、流路切換手段により選択された通常流路を流れて酸化触媒を迂回しつつ三元触媒に直接導かれているので、排気ガスの温度が約２００〜３００℃以上となった時には、三元触媒上で排気ガス中のＳＯ2ガスが水と化合してサルフェートの状態で吸着されることになる。
【００１６】
ただし、三元触媒の脱離処理を施す必要が生じた時には、流路切換手段により選択された再生流路に排気ガスが流れ、該排気ガスが酸化触媒を経由して三元触媒へ流れることになるので、ディーゼルエンジンの燃料噴射装置を燃料添加手段としてポスト噴射等により燃料添加を行うと、その添加燃料から生じたＨＣガスが酸化触媒を通過する間に酸化反応し、その反応熱で昇温した排気ガスが直後の三元触媒に流入して該三元触媒の触媒床温度が所定の脱離温度以上に上げられ、サルフェートが再びＳＯ2ガスとして三元触媒から脱離される。
【００１７】
この時、酸化触媒では、通常時において排気ガスの流れに晒されていないことからサルフェートが殆ど溜まっておらず、ＨＣガスの酸化反応を促す機能を良好に発揮し得る状態にあるため、添加燃料から生じたＨＣガスを良好に酸化反応させて排気ガスの昇温化を図ることが可能である。
【００１８】
しかも、酸化触媒の触媒表面でＨＣガスが酸化処理されている状況下では、触媒上のあちこちが局所的に著しく高温となっているため、排気ガス中のＳＯ2ガスは硫酸化の行程を飛び越してＳＯ2ガスの状態で酸化触媒を通り抜け、新たなサルフェートが生成されて酸化触媒上に溜まる虞れは殆どない。
【００１９】
ただし、燃料中に含まれる硫黄分が著しく多い場合には、敢えてそのような硫黄分の多い燃料を添加して脱硫処理を施さなくても、酸化触媒より上流の排気管に脱硫処理用のサルファフリー燃料を添加し得るように燃料添加手段を構成することも可能である。
【００２０】
また、本発明においては、三元触媒の直後にパティキュレートフィルタを配設しても良く、このようにすれば、排気ガス中のパティキュレートが後段のパティキュレートフィルタで捕集されることによりＮＯxとパティキュレートの同時低減が可能となり、しかも、このパティキュレートフィルタの強制再生を前述の脱硫処理と同じ手法で行うことが可能となり、還元すれば、パティキュレートフィルタの強制再生時に同時に三元触媒とパティキュレートフィルタ自体の脱硫処理を施すことが可能となる。
【００２１】
即ち、燃料添加手段により酸化触媒の上流側で排気ガス中に燃料添加を行うと、その添加燃料から生じたＨＣガスが酸化触媒を通過する間に酸化反応し、その反応熱で昇温した排気ガスが三元触媒を暖めた後にパティキュレートフィルタに流入し、該パティキュレートフィルタの触媒床温度が所定の脱離温度以上に上げられてサルフェートがＳＯ2ガスとして脱離されると共に、捕集済みパティキュレートが燃やし尽くされてパティキュレートフィルタの再生化が図られる。
【発明の効果】
【００２２】
上記した本発明の排気浄化装置によれば、下記の如き種々の優れた効果を奏し得る。
【００２３】
（Ｉ）本発明の請求項１に記載の発明によれば、ＮＯxとＮＨ3の吸着能を持たせた三元触媒をディーゼルエンジンに適用し、エンジン稼働中のアクセルオフ時にＮＯxからＮＨ3を生成して三元触媒に吸着させて溜め込み、このＮＨ3を用いて排気ガス中のＮＯxを還元浄化するようにした排気浄化装置に関し、高硫黄燃料を使用しても三元触媒に対し適宜に脱硫処理を施してＮＯxを低減する機能を継続させることができる。
【００２４】
（ＩＩ）本発明の請求項２に記載の発明によれば、酸化触媒より上流の排気管に脱硫処理用のサルファフリー燃料を添加することができ、燃料添加自体により酸化触媒上でのサルフェート生成が惹起されてしまう懸念を払拭し、該酸化触媒上にサルフェートが溜るのをより一層確実に防止することができる。
【００２５】
（ＩＩＩ）本発明の請求項３に記載の発明によれば、排気ガス中のパティキュレートを後段のパティキュレートフィルタで捕集することでＮＯxとパティキュレートの同時低減を図ることができ、しかも、このパティキュレートフィルタの強制再生時に同時に三元触媒とパティキュレートフィルタ自体の脱硫処理を施すことができる。
【発明を実施するための最良の形態】
【００２６】
以下本発明の実施の形態を図面を参照しつつ説明する。
【００２７】
図１及び図２は本発明を実施する形態の一例を示すもので、図中１はターボチャージャ２を装備したディーゼルエンジンを示しており、エアクリーナ３から導かれた吸気４が吸気管５を通し前記ターボチャージャ２のコンプレッサ２ａへと送られ、該コンプレッサ２ａで加圧された吸気４がインタークーラ６へと送られて冷却され、該インタークーラ６から更に吸気マニホールド７へと吸気４が導かれてディーゼルエンジン１の各気筒８（図１では直列６気筒の場合を例示している）に分配されるようになっている。
【００２８】
また、前記ディーゼルエンジン１の各気筒８から排出された排気ガス９は、排気マニホールド１０を介しターボチャージャ２のタービン２ｂへと送られ、該タービン２ｂを駆動した排気ガス９が排気管１１（排気流路）を介し車外へ排出されるようにしてある。
【００２９】
そして、前記排気管１１の途中には、フィルタケース１２が介装されており、フィルタケース１２内における後段側に、酸化触媒を一体的に担持して成る触媒再生型のパティキュレートフィルタ１３が収容されている。
【００３０】
即ち、このパティキュレートフィルタ１３は、セラミックから成る多孔質のハニカム構造を有し、格子状に区画された各流路の入口が交互に目封じされ、入口が目封じされていない流路については、その出口が目封じされるようになっており、各流路を区画する多孔質薄壁を透過した排気ガス９のみが下流側へ排出されるようにしてある。
【００３１】
そして、前記フィルタケース１２内におけるパティキュレートフィルタ１３の前段には、ＮＯxとＮＨ3の吸着能を持たせたフロースルー型の三元触媒１４が装備されており、より具体的には、従来周知のＰｔやＰｄ、Ｒｈ、ＺｅＯ、ＣｅＯ等から成る三元触媒に、排気ガス９中のＮＯxとＮＨ3を物理的に吸着する能力に優れたゼオライト系触媒（例えばＣｕ／ゼオライト触媒やＦｅ／ゼオライト触媒等）をコーティングしたり、この種のゼオライト系触媒を原料段階から混ぜて一緒に担持させたりした三元触媒１４を適用している。
【００３２】
ここで、従来周知の三元触媒とは、排気ガス９中のＣＯ及びＨＣの酸化とＮＯxの還元を同時に行い、排気ガス９中の有害ガス三成分を無害なＣＯ2、Ｈ2Ｏ、Ｎ2に浄化するものであり、空気過剰率が１．０前後の理論空燃比付近でだけ有効に働くものであるが、通常の走行状態で空気過剰率が１．６以上にもなるディーゼルエンジンでは、排気ガス９中の残存酸素量が多すぎて三元触媒を有効利用することができず、これまではガソリン車にのみ適用されてきた経緯がある。
【００３３】
尚、従来周知の三元触媒の浄化特性は、空気過剰率（空燃比）により大きく変化し、空気過剰率が高い時（空燃比が薄い時）に、排気ガス９中の残存酸素量が多いことから酸化作用が活発化して還元作用が不活発となり、空気過剰率が低い時（空燃比が濃い時）に、逆に還元作用が活発化して酸化作用が不活発となることが知られている。
【００３４】
一方、ゼオライトはアルミナケイ酸塩質の多孔性結晶材料であり、結晶中に均一な分子レベルの細孔を規則正しく配向して備えていることを特徴とし、この細孔を通じて各種の分子を空洞又は孔路内に吸着する性質を備えており、このような性質以外にも、細孔が均一であることに基づく分子ふるい作用を持つ性質（細孔の孔径より小さい分子しか吸着しない）、結晶構造中のカチオンとアニオンの作用により極性物質を強く吸着する性質、触媒作用を持つ性質も兼ね備えている。
【００３５】
また、この種のゼオライトは、その骨格構造の型に基づき多種類に分類されるが、細孔内へＮＯxとＮＨ3を吸着する能力と、ＮＯxとＮＨ3との反応を促進する能力と、高耐熱性、高耐久性とに優れたものを適宜に選定すれば良く、同様の性質を備えたゼオライト類縁化合物の中から選定することも可能である。
【００３６】
更に、このようにしてＮＯxとＮＨ3の吸着能を持たせた三元触媒１４より上流側の排気管１１には、該排気管１１内に脱硫処理用のサルファフリー燃料（灯油等）を直接噴射するための燃料添加弁１５が燃料添加手段として装備されており、この燃料添加弁１５には、走行用燃料タンクとは別の添加燃料タンク１６から導いた燃料添加ライン１７が接続され、該燃料添加ライン１７の途中に装備したポンプ１８の駆動により添加燃料タンク１６内のサルファフリー燃料が抜き出されて前記燃料添加弁１５に向け供給されるようにしてある。
【００３７】
また、この燃料添加弁１５によるサルファフリー燃料の添加位置と、前記フィルタケース１２との間を接続する排気管１１は、排気ガス９を酸化触媒１９を経由させて三元触媒１４へ導く再生流路２０と、排気ガス９を酸化触媒１９を迂回させて三元触媒１４へ直接導く通常流路２１とに二股状に分岐され、その分岐箇所には、通常時は通常流路２１を選択して排気ガス９を流し且つ三元触媒１４の脱離処理を施す必要が生じた時に排気ガス９の流れを通常流路２１から再生流路２０に切り換えるバタフライ弁２２が流路切換手段として設けられており、このバタフライ弁２２の回動操作を担うアクチュエータ２３がエンジン制御コンピュータ（ＥＣＵ：Electronic Control Unit）を成す制御装置２４により制御されるようになっている。
【００３８】
これら再生流路２０、通常流路２１、バタフライ弁２２の詳細は図２に拡大して示す通りであり、前記バタフライ弁２２は、二股状に分岐した分岐管２５内に収容されていて、該分岐管２５の二つの出口がフィルタケース１２の最前部に夫々接続されている。
【００３９】
そして、フィルタケース１２の最前部内には、前記分岐管２５の一方の出口からの排気ガス９だけが導入されるよう流路を隔絶された状態で酸化触媒１９が収容されていると共に、前記分岐管２５の他方の出口からの排気ガス９を拡散させて三元触媒１４へ導き得るよう散気管２６が収容されている。
【００４０】
また、図１に示す前記ディーゼルエンジン１には、各気筒８毎に装備された図示しないインジェクタから成る燃料噴射装置２７が搭載されており、該燃料噴射装置２７における各インジェクタの電磁弁が、前記制御装置２４により負荷や回転数に基づいて適切に噴射タイミングや噴射量（開弁時間）を適切に制御されるようにしてあるが、エンジン稼働中のアクセルオフ時には、前記三元触媒１４で排気ガス９中のＮＯxとＨ2からＮＨ3が生成される程度まで深く空気過剰率（λ）を下げ且つその低い空気過剰率でも無煙燃焼を保ち得る予混合圧縮着火が実行されるようにしてある。
【００４１】
ただし、エンジン稼働中のアクセルオフ時とは、走行中の減速時や停車中のアイドリング時等のように特にエンジン出力を要求されない場面であるため、単純に燃料噴射量を増やして空気過剰率を下げるだけでなく適宜に吸気バルブ２８の開度を絞る空気絞り（ターボチャージャ２をバリアブルジオメトリーターボチャージャとしてタービン効率を下げることで吸入空気量を減らしても良い）も併用して空気過剰率を下げ、これにより不必要なエンジン出力が発生しないようにする。
【００４２】
また、この際に併用される予混合圧縮着火とは、通常であれば圧縮上死点近辺で行われるべきメイン噴射を圧縮上死点より早いタイミングで行い、気筒８内への燃料の先行投入により燃料の予混合化を促進してから着火燃焼させるようにする燃焼方式のことを指しており、従来にあっては、ＮＯxの生成を抑制するための燃焼方式として知られているものであるが、ここでは空気過剰率を深く下げることで寧ろＮＯxを生成し易くし、このＮＯxを利用することで後述の如く三元触媒１４上でＮＨ3を生成して吸着し得るようにしている。
【００４３】
尚、図１中の符号の２９は排気管１１におけるタービン２ｂの出口付近に設けられた排気ブレーキ、３０は排気ガス９を排気側から吸気側へ再循環するためのＥＧＲライン、３１はその再循環される排気ガス９の一部を冷却する水冷式のＥＧＲクーラ、３２はＥＧＲバルブを夫々示している。
【００４４】
而して、エンジン稼働中のアクセルオフ時に、制御装置２４により燃料噴射装置２７と吸気バルブ２８とが制御されて空気過剰率が深く下げられると、三元触媒１４の還元作用が活発化してＮＯxがＮ2となり、このＮ2が排気ガス９中のＨ2と結びついてＮＨ3が生成され、そのまま三元触媒１４に吸着されて溜め込まれる。
【００４５】
即ち、空気過剰率を深く下げて予混合圧縮着火を行うと、単位空気量に対する燃料投入量の割合が増して２０００Ｋ以上の燃焼温度となり、吸気中の水分（Ｈ2Ｏ）がＨ2、Ｏ2、ＯＨ、Ｈに熱分解し、本来安定なＮ2がこれらと反応してＮＯxが生成され易い環境となるが、三元触媒１４の活発化した還元作用によりＮＯxの還元反応も進み、この還元反応時に余剰のＨ2と反応してＮＨ3が生成されることになる。
【００４６】
この際、空気過剰率は約０．７付近まで深く下げることが好ましいが、ここまで空気過剰率を下げても予混合圧縮着火を行うことで燃焼性が著しく良化されるので、黒煙（多量の煤）を発生しない無煙燃焼を保つことが可能である。
【００４７】
即ち、この種の予混合圧縮着火によれば、通常の場合に圧縮上死点近辺で行われるべき燃料のメイン噴射が圧縮上死点より早いタイミングで行われ、気筒内への燃料の先行投入により燃料の予混合化が促進されてから着火燃焼することになるため、燃料が良好に分散混合して均等に薄まった状態で同時全域着火により燃焼が行われて燃焼性が著しく良化される。
【００４８】
ただし、エンジン稼働中のアクセルオフ時とは、走行中の減速時や停車中のアイドリング時等のように特にエンジン出力を要求されない場面であるため、単純に燃料噴射量を増やして空気過剰率を下げるだけでなく適宜に空気絞りも併用して空気過剰率を下げ、これにより不必要なエンジン出力が発生しないようにする。
【００４９】
尚、このようなアクセルオフ時における空気過剰率の調整や予混合圧縮着火の着火タイミングの調整には、ＥＧＲライン３０による排気ガス９の再循環量の制御を併用するようにしても良い。
【００５０】
そして、アクセルオフの状態が解除されてアクセルが踏み込まれた通常の走行状態に移行し、空気過剰率が通常の約１．６以上の状態に戻されて三元触媒１４の周囲が有酸素状態になると、三元触媒１４に既に吸着されているＮＯxや新たに吸着されたＮＯxが、アクセルオフ時に溜められたＮＨ3によりＮ2に還元浄化されることになる。
【００５１】
この際、ディーゼルエンジン１からの排気ガス９は、バタフライ弁２２により選択された通常流路２１を流れて酸化触媒１９を迂回しつつ三元触媒１４に直接導かれているので、排気ガス９の温度が約２００〜３００℃以上となった時には、三元触媒１４上で排気ガス９中のＳＯ2ガスが水と化合してサルフェートの状態で吸着されることになる。
【００５２】
ただし、三元触媒１４の脱離処理を施す必要が生じた時には、バタフライ弁２２により選択された再生流路２０に排気ガス９が流れ、該排気ガス９が酸化触媒１９を経由して三元触媒１４へ流れることになるので、排気管１１途中の燃料添加弁１５により燃料添加を行うと、その添加燃料から生じたＨＣガスが酸化触媒１９を通過する間に酸化反応し、その反応熱で昇温した排気ガス９が直後の三元触媒１４に流入して該三元触媒１４の触媒床温度が所定の脱離温度以上に上げられ、サルフェートが再びＳＯ2ガスとして三元触媒１４から脱離される。
【００５３】
この時、酸化触媒１９では、通常時において排気ガス９の流れに晒されていないことからサルフェートが殆ど溜まっておらず、ＨＣガスの酸化反応を促す機能を良好に発揮し得る状態にあるため、添加燃料から生じたＨＣガスを良好に酸化反応させて排気ガス９の昇温化を図ることが可能である。
【００５４】
しかも、酸化触媒１９の触媒表面でＨＣガスが酸化処理されている状況下では、触媒上のあちこちが局所的に著しく高温となっているため、排気ガス９中のＳＯ2ガスは硫酸化の行程を飛び越してＳＯ2ガスの状態で酸化触媒１９を通り抜け、新たなサルフェートが生成されて酸化触媒１９上に溜まる虞れは殆どない。
【００５５】
ただし、本形態例に示す如く、排気管１１の途中で燃料添加弁１５により脱硫処理用のサルファフリー燃料を添加するようにすれば、燃料添加自体により酸化触媒１９上でのサルフェート生成が惹起されてしまう懸念を払拭し、該酸化触媒１９上にサルフェートが溜るのをより一層確実に防止することができる。
【００５６】
尚、三元触媒１４の脱離処理を施す必要が生じたか否かの判定については、制御装置２４により前回の脱硫処理からの経過時間をタイマで計測して規定時間以上が経過した時に三元触媒１４に脱硫処理を施す必要が生じたものと判定したり、或いは、三元触媒１４の前後でＮＯxセンサによりＮＯx濃度を実測して三元触媒１４でのＮＯxの吸着能力が規定以下に低下した時に三元触媒１４に脱硫処理を施す必要が生じたものと判定したりすれば良い。
【００５７】
また、本形態例においては、三元触媒１４の直後にパティキュレートフィルタ１３を配設しているので、排気ガス９中のパティキュレートが後段のパティキュレートフィルタ１３で捕集されることによりＮＯxとパティキュレートの同時低減が可能となり、しかも、このパティキュレートフィルタ１３の強制再生を前述の脱硫処理と同じ手法で行うことが可能となり、還元すれば、パティキュレートフィルタ１３の強制再生時に同時に三元触媒１４とパティキュレートフィルタ１３自体の脱硫処理を施すことが可能となる。
【００５８】
即ち、燃料添加弁１５により酸化触媒１９の上流側で排気ガス９中に燃料添加を行うと、その添加燃料から生じたＨＣガスが酸化触媒１９を通過する間に酸化反応し、その反応熱で昇温した排気ガス９が三元触媒１４を暖めた後にパティキュレートフィルタ１３に流入し、該パティキュレートフィルタ１３の触媒床温度が所定の脱離温度以上に上げられてサルフェートがＳＯ2ガスとして脱離されると共に、捕集済みパティキュレートが燃やし尽くされてパティキュレートフィルタ１３の再生化が図られる。
【００５９】
尚、この際には、吸気バルブ２８の開度を絞る空気絞りを併用することも可能であり、このようにすれば、吸気バルブ２８により吸気４が絞り込まれ、ディーゼルエンジン１での燃焼による排気ガス９の発生量が投入熱量に対し減少することで排気温度の更なる上昇が図られる。
【００６０】
更に、排気ブレーキ２９の開度を絞り込む排気絞りを併用することも可能であり、このようにすれば、アクセルオフ時に排気が絞り込まれ、これより上流側の排気ガス９が昇圧されることで排気温度の上昇が図られ、しかも、エンジンの排気抵抗が高まることにより気筒８内に比較的温度の低い吸気４が流入し難くなって比較的温度の高い排気ガス９の残留量が増加し、この比較的温度の高い排気ガス９を多く含む気筒８内の空気が次の圧縮行程で圧縮されて爆発行程を迎えることでも排気温度の更なる上昇が図られる。
【００６１】
従って、上記形態例によれば、ＮＯxとＮＨ3の吸着能を持たせた三元触媒１４をディーゼルエンジン１に適用し、エンジン稼働中のアクセルオフ時にＮＯxからＮＨ3を生成して三元触媒１４に吸着させて溜め込み、このＮＨ3を用いて排気ガス９中のＮＯxを還元浄化するようにした排気浄化装置に関し、高硫黄燃料を使用しても三元触媒１４に対し適宜に脱硫処理を施してＮＯxを低減する機能を継続させることができる。
【００６２】
更に、特に本形態例においては、三元触媒１４の直後にパティキュレートフィルタ１３を配設しているので、排気ガス９中のパティキュレートを後段のパティキュレートフィルタ１３で捕集することでＮＯxとパティキュレートの同時低減を図ることができ、しかも、このパティキュレートフィルタ１３の強制再生時に同時に三元触媒１４とパティキュレートフィルタ１３自体の脱硫処理を施すことができる。
【００６３】
尚、本発明の排気浄化装置は、上述の形態例にのみ限定されるものではなく、燃料に含まれる硫黄分の程度によっては、ディーゼルエンジン側で圧縮上死点（クランク角０゜）付近で行われる燃料のメイン噴射に続いて圧縮上死点より遅い非着火のタイミング（開始時期がクランク角９０゜〜１２０゜の範囲）でポスト噴射を追加して燃料添加を行うようにしても良く、また、ポスト噴射と排気管途中への直接噴射の両方を適宜に併用することも可能であること、その他、本発明の要旨を逸脱しない範囲内において種々変更を加え得ることは勿論である。
【図面の簡単な説明】
【００６４】
【図１】本発明を実施する形態の一例を示す概略図である。
【図２】図１の要部を拡大して示す断面図である。
【符号の説明】
【００６５】
１  ディーゼルエンジン
９  排気ガス
１１  排気管
１３  パティキュレートフィルタ
１４  三元触媒
１５  燃料添加弁（燃料添加手段）
１９  酸化触媒
２０  再生流路
２１  通常流路
２２  バタフライ弁（流路切換手段）
【図１】
2009216021.tif 000003
【図２】
2009216021.tif 000004